(57)【特許請求の範囲】
【請求項１】
目盛り盤（５０、５０Ａ）と、
この目盛り盤の裏面側に配設された内機本体（７１）と、この内機本体から前記目盛り盤の中央部に設けた貫通穴部（５２）を通り回動可能に延出する指針軸（７２）とを有する回動内機（７０）と、
前記指針軸の先端部により前記目盛り盤の表面に沿い回動可能に支持される指針（１００、１００Ａ）と、
前記目盛り盤の外周部に沿い設けられて当該目盛り盤の表面側へ前記指針軸の軸方向に沿い延出する略リング状導光部（４０ａ、４０ｃ）と、この略リング状導光部の基端部から前記目盛り盤の裏面に沿うように前記指針軸に向けて一体に延出されて前記指針軸を挿通させる導光穴部（４３、１１２）を有する板状導光部（４０ｂ、４０ｄ）とを備える導光部材（４０、４０Ａ、４０Ｂ）と、
前記板状導光部の裏面側にて前記指針軸の軸周り近傍に配設されて前記板状導光部内に前記導光穴部から光を入射する複数の光源（９０、９０Ａ）とを備えて、
前記板状導光部は前記導光穴部からの入射光を放射状に導光して前記略リング状導光部の基端部に入射し、
当該略リング状導光部は、前記基端部への入射光を前記軸方向に沿い導光し略リング状の光として前記略リング状導光部の先端部から出射するようにした計器。
【請求項２】
前記目盛り盤は透光性目盛り盤であって、
前記板状導光部は、前記導光穴部からの入射光を放射状に導光して前記略リング状導光部の基端部に入射するのに加えて、前記放射状に導光した光を前記透光性目盛り盤にもその裏面から入射することを特徴とする請求項１に記載の計器。
【請求項３】
前記指針は、前記指針軸の先端部に支持された回動基部と、この回動基部から入射される光を導光して発光する指針部とを有する発光指針であって、
前記各光源は、光を、前記板状導光部内にその導光穴部から入射する他、当該導光穴部及び前記目盛り盤の貫通穴部を通して前記発光指針内にその回動基部から入射することを特徴とする請求項１又は２に記載の計器。
【請求項４】
目盛り盤（５０、５０Ａ）と、
この目盛り盤に沿いその裏面側に設けられた導光板（１１０）と、
この導光板の裏面側に配設された内機本体（７１）と、この内機本体から前記導光板に設けた導光穴部（１１２）及び前記目盛り盤の中央部に設けた貫通穴部（５２）を通り回動可能に延出する指針軸（７２）とを有する回動内機（７０）と、
前記指針軸の先端部に回動可能に支持される回動基部と、この回動基部から前記目盛り盤の表面に沿い延出されて前記回動基部にその裏面から入射する光を導光して発光する指針部とを有する発光指針（１００Ｂ）と、
前記目盛り盤の外周部に沿い設けられて当該目盛り盤の表面側へ前記指針軸の軸方向に沿い延出する略リング状導光部（４０ａ、４０ｃ）と、この略リング状導光部の基端部から前記導光板の裏面に沿うように前記指針軸に向けて一体に延出されて前記指針軸を挿通させる導光穴部（４１、４３）を有する板状導光部（４０ｂ、４０ｄ）とを備える導光部材（４０、４０Ａ、４０Ｂ）と、
前記板状導光部の裏面側にて前記指針軸の軸周り近傍に配設されて光を前記導光板内にその導光穴部から入射するとともに前記目盛り盤の貫通穴部を通して前記発光指針内にその回動基部から入射する複数の第１光源（９０Ｂ）と、
前記板状導光部の裏面側にて前記各第１光源の外周近傍に配設されて前記板状導光部内にその導光穴部から光を入射する複数の第２光源（９０、９０Ａ）と、
前記導光板と前記板状導光部の間に介装されて前記各第１光源と前記各第２光源との間に延出する筒状延出部（１２２）を有する遮光壁（１２０）とを備えて、
前記板状導光部は前記導光穴部からの入射光を放射状に導光して前記略リング状導光部の基端部に入射し、
当該略リング状導光部は、前記基端部への入射光を前記軸方向に沿い導光し略リング状の光として前記略リング状導光部の先端部から出射するようにした計器。
【発明の詳細な説明】
【０００１】
【発明の属する技術分野】
本発明は、例えば、車両に採用するに適した計器に関する。
【０００２】
【従来の技術】
従来、この種の計器としては、例えば、特開平９−２８７９８０号公報にて示すような車両用計器がある。この計器では、導光部材が目盛り盤と同軸的にその外周部からリング状に立ち上がるように設けられている。そして、当該導光部材の基端部にその周方向に沿い、複数の光源が配設されており、これら各光源は光を導光部材にその基端部から入射し当該導光部材の先端部から出射させることで、目盛り盤の装飾的照明を行うようになっている。
【０００３】
【発明が解決しようとする課題】
ところで、上記計器では、上述のように、導光部材が目盛り盤の外周部に配置されているため、各光源は、必然的に、当該導光部材の配置位置にあわせてこの導光部材の基端部に沿い配置されている。
【０００４】
従って、各光源の光を導光部材の先端部からその周方向に亘り均一に出射させるためには、導光部材の径の大きさにあわせて光源の配置数も多くしなければならなず、部品点数の増加によるコスト高を招くという不具合が生ずる。
【０００５】
これに対し、光源の配置数を減少させると、導光部材の先端部のうち各光源に対向する部分が残りの部分よりも明るくなって、導光部材の先端部からその周方向に亘り出射する光が均一にならず、照明むらが発生するという不具合を招く。
【０００６】
そこで、本発明は、以上のようなことに対処するため、目盛り盤をその外周部から装飾的に照明する構成に工夫を凝らし、当該照明に必要な光源の数をできる限り減少させながら目盛り盤のその外周部からの装飾的照明を均一に行う計器を提供することを目的とする。
【０００７】
【課題を解決するための手段】
上記課題の解決にあたり、請求項１に記載の発明に係る計器は、
目盛り盤（５０、５０Ａ）と、
この目盛り盤の裏面側に配設された内機本体（７１）と、この内機本体から目盛り盤の中央部に設けた貫通穴部（５２）を通り回動可能に延出する指針軸（７２）とを有する回動内機（７０）と、
指針軸の先端部により目盛り盤の表面に沿い回動可能に支持される指針（１００、１００Ａ）と、
目盛り盤の外周部に沿い設けられて当該目盛り盤の表面側へ指針軸の軸方向に沿い延出する略リング状導光部（４０ａ、４０ｃ）と、この略リング状導光部の基端部から目盛り盤の裏面に沿うように指針軸に向けて一体に延出されて指針軸を挿通させる導光穴部（４３、１１２）を有する板状導光部（４０ｂ、４０ｄ）とを備える導光部材（４０、４０Ａ、４０Ｂ）と、
板状導光部の裏面側にて指針軸の軸周り近傍に配設されて板状導光部内に導光穴部から光を入射する複数の光源（９０、９０Ａ）とを備える。そして、板状導光部は上記導光穴部からの入射光を放射状に導光して略リング状導光部の基端部に入射し、当該略リング状導光部は、上記基端部への入射光を上記軸方向に沿い導光し略リング状の光として略リング状導光部の先端部から出射する。
【０００８】
これによれば、導光部材が、略リング状導光部から軸方向に出射する光により目盛り盤の外周部を略リング状に照明する。このため、目盛り盤の表面における指針の指示が、略リング状導光部が目盛り盤をその外周部から略リング状に装飾照明された状態でなされる。
【０００９】
また、導光部材は、上述のごとく、略リング状導光部に板状導光部を一体に形成して、当該板状導光部により各光源の光を略リング状導光部内に放射状に導光するようにしてある。従って、略リング状導光部への入射に要する光を発生する各光源は、目盛り盤の外周部に位置する略リング状導光部の基端部ではなく、板状導光部のうち指針軸の軸周り近傍の導光穴部に対応する位置に配設されている。
【００１０】
ここで、板状導光部の導光穴部の径は、目盛り盤の外周部の径、ひいては、略リング状導光部の径に比べてはるかに小さいので、導光穴部に対応して配設すべき光源の数は、略リング状導光部の基端部に対応して設ける場合に比べ、非常に少なくて済む。その結果、部品点数の減少によるコストの低減を確保できる。
【００１１】
また、このように光源の数が少なくても、導光穴部の径は上述のごとく略リング状導光部の径に比べて非常に小さいため、指針軸の軸周りに沿い配置される各両隣接光源の間隔は非常に狭くでき、かつ、これら各光源の光が、板状導光部により放射状に導光されて略リング状導光部から出射し得る。その結果、リング状導光部からのリング状出射光は、当該導光部の周方向に亘り均一な光量となり、略リング状導光部による目盛り盤に外周部における照明はその周方向においてばらつきを生ずることなく均一に確保され得る。
【００１２】
また、請求項２に記載の発明によれば、請求項１に記載の計器において、目盛り盤は透光性目盛り盤であって、板状導光部は、上記導光穴部からの入射光を放射状に導光して略リング状導光部の基端部に入射するのに加えて、上記放射状に導光した光を透光性目盛り盤にもその裏面から入射することを特徴とする。
【００１３】
これにより、導光部材用の各光源の光を透光性目盛り盤に入射するようにした構成の計器でも、請求項１に記載の発明と同様の作用効果を達成できる。
【００１４】
また、請求項３に記載の発明によれば、請求項１又は２に記載の計器において、指針は、指針軸の先端部に支持された回動基部と、この回動基部から入射される光を導光して発光する指針部とを有する発光指針であって、各光源は、光を、板状導光部内にその導光穴部から入射する他、当該導光穴部及び目盛り盤の貫通穴部を通して発光指針内にその回動基部から入射することを特徴とする。
【００１５】
これにより、指針が発光指針であっても、この発光指針への光源を板状導光部内にその導光穴部から入射する各光源で兼用しつつ、請求項１又は２に記載の発明と同様の作用効果を達成できる。
【００１６】
また、請求項４に記載の発明に係る計器は、
目盛り盤（５０、５０Ａ）と、
この目盛り盤に沿いその裏面側に設けられた導光板（１１０）と、
この導光板の裏面側に配設された内機本体（７１）と、この内機本体から導光板に設けた導光穴部（１１２）及び目盛り盤の中央部に設けた貫通穴部（５２）を通り回動可能に延出する指針軸（７２）とを有する回動内機（７０）と、
指針軸の先端部に回動可能に支持される回動基部と、この回動基部から目盛り盤の表面に沿い延出されて回動基部にその裏面から入射する光を導光して発光する指針部とを有する発光指針（１００Ｂ）と、
目盛り盤の外周部に沿い設けられて当該目盛り盤の表面側へ指針軸の軸方向に沿い延出する略リング状導光部（４０ａ、４０ｃ）と、この略リング状導光部の基端部から導光板の裏面に沿うように指針軸に向けて一体に延出されて指針軸を挿通させる導光穴部（４１、４３）を有する板状導光部（４０ｂ、４０ｄ）とを備える導光部材（４０、４０Ａ、４０Ｂ）と、
板状導光部の裏面側にて指針軸の軸周り近傍に配設されて光を導光板内にその導光穴部から入射するとともに目盛り盤の貫通穴部を通して発光指針内にその回動基部から入射する複数の第１光源（９０Ｂ）と、
板状導光部の裏面側にて各第１光源の外周近傍に配設されて板状導光部内にその導光穴部から光を入射する複数の第２光源（９０、９０Ａ）と、
導光板と板状導光部の間に介装されて各第１光源と各第２光源との間に延出する筒状延出部（１２２）を有する遮光壁（１２０）とを備える。そして、板状導光部は上記導光穴部からの入射光を放射状に導光して略リング状導光部の基端部に入射し、当該略リング状導光部は、上記基端部への入射光を上記軸方向に沿い導光し略リング状の光として略リング状導光部の先端部から出射する。
【００１７】
このように、各第１光源の光を透光性目盛り盤に導光板を通して入射するとともに発光指針内にその回動基部から入射するとともに、各第２光源の光を板状導光部を通して略リング状導光部内に入射するようにしても、請求項１に記載の発明と実質的に同様の作用効果を達成できる。この場合、遮光壁が、導光板及び各第１光源と、板状導光部及び各第２光源とを遮光的に隔離しているから、各第１光源の光が導光部材内に入射したり各第２光源の光が導光部材や発光指針の回動基部内に入射することはない。
【００１８】
なお、上記各手段の括弧内の符号は、後述する実施形態に記載の具体的手段との対応関係を示すものである。
【００１９】
【発明の実施の形態】
以下、本発明の各実施形態を図面に基づいて説明する。
【００２０】
（第１実施形態）
図１及び図２は、本発明に係る乗用車用計器の一例を示しており、この計器は、当該乗用車の車室内に設けたインストルメントパネルにコンビネーションメータとして配設されている。
【００２１】
当該計器は、スピードメータＳ、タコメータＴ及びインジケータＩを備えており、これらスピードメータＳ、タコメータＴ及びインジケータＩは、互いに共通の断面コ字状のケーシング１０、環状の見返し板２０及びフロントパネル３０からなるハウジング内に組み付けられている。ここで、見返し板２０は、その底壁２１にて、ケーシング１０の開口部１１に取り付けられている。なお、スピードメータＳは、当該乗用車の車速を指示するためのものであり、タコメータＴは当該乗用車のエンジンの回転数を指示するためのものであり、インジケータＩは、当該乗用車の自動変速機の変速位置を指示するためのものである。
【００２２】
次に、スピードメータＳの構成について図２を参照して説明する。スピードメータＳは、導光材料からなる導光部材４０を備えており、この導光部材４０は見返し板２０の底壁２１の開口部２１ａ内に組み付けられている。当該導光部材４０は、リング状導光部４０ａ及び板状導光部４０ｂを有しており、リング状導光部４０ａは、その軸方向中間部位にて、見返し板２０の底壁２１の開口部２１ａ内に同軸的に嵌着されている。また、板状導光部４０ｂは、その外周部にて、リング状導光部４０ａの基端部と一体に形成されている。これにより、この板状導光部４０ｂは、リング状導光部４０ａと共に、導光部材４０を断面略コ字状に構成している。
【００２３】
また、板状導光部４０ｂは、後述する指針軸７２を挿通する導光穴部４１を備えており、この導光穴部４１の内周面は、反射面として、断面逆八の字状に形成されている。これにより、後述のように光が板状導光部４０ｂのうち導光穴部４１に板状導光部４０ｂの裏面側から入射すると、この入射光は、板状導光部４０ｂ内にて導光穴部４１の内周面により放射状に反射される。このように反射された光は、板状導光部４０ｂ内にてリング状導光部４０ａの基端部に向け放射状に導光されて、目盛り盤５０内にその裏面から面状の光として入射するとともに、リング状導光部４０ａ内にその基端部から導光されて当該導光部４０ａの断面半球状の先端部４２からリング状に出射する。
【００２４】
また、スピードメータＳは、円板状目盛り盤５０及び断面略コ字状ホルダー６０を備えており、目盛り盤５０は、板状導光部４０ｂの表面上に重畳して装着されている。この目盛り盤５０は、図１にて示すごとく、その外周部にて、略円弧状車速表示部５１を有しており、この車速表示部５１の表面は、当該車速表示部の各目盛り、各数字、各文字等の輪郭の内側部（以下、透光部という）を除き、目盛り盤５０の表面のうち車速表示部に対応する部分以外の部分と共に、不透光の黒色印刷材料により黒色に印刷されている。
【００２５】
ホルダー６０は、導光部材４０のうちリング状導光部４０ａの基端部及び板状導光部４０ｂを収容してなるもので、このホルダー６０の内面６１は反射面となっている。このため、後述のようにリング状導光部４０ａの基端部及び板状導光部４０ｂ内に導光される光はホルダー６０の内面６１により当該リング状導光部４０ａの基端部及び板状導光部４０ｂ内に反射される。
【００２６】
また、スピードメータＳは、回動内機７０、配線板８０及び複数の光源９０を備えている。本第１実施形態では、光源９０として、発光ダイオードが採用されている。回動内機７０は、内機本体７１と、指針軸７２とを備えており、内機本体７１は、ケーシング１０内にて、その底壁１２に、目盛り盤５０に対応する位置にて装着されている。また、指針軸７２は、内機本体７１から配線板８０の貫通穴部８１、ホルダー６０の貫通穴部、板状導光部４０ｂの導光穴部４１及び目盛り盤５０の貫通穴部５２を同軸的に通り回動可能に延出している。
【００２７】
配線板８０は、ケーシング１０内にて、目盛り盤５０に並行となるように、内機本体７１の上端面に沿い支持されている。各光源９０は、指針軸７２の軸周り近傍にて、配線板８０の表面のうち貫通穴部８１の周囲部分に設けられており、これら各光源９０は、配線板８０を通し電源から給電されて点灯し、その光を、ホルダー６０の貫通穴部を通し板状導光部４０ｂの裏面のうち導光穴部４１に対応する部位に指針軸７２の軸方向に沿い入射する。
【００２８】
また、スピードメータＳは指針１００を備えており、この指針１００は、その回動基部にて、指針軸７２の先端部に支持されている。タコメータＴは、スピードメータＳの導光部材４０、目盛り盤５０、ホルダー６０、回動内機７０、各光源９０及び指針１００にそれぞれ対応する導光部材４０Ａ、目盛り盤５０Ａ、ホルダー、回動内機、各光源及び指針１００Ａを備えている（図１参照）。
【００２９】
導光部材４０Ａは導光部材４０と同様の構成からなるもので、当該導光部材４０Ａは、そのリング状導光部４０ａにて、導光部材４０のリング状導光部４０ａと実質的に同様に、見返し板２０の他の開口部２１ｂ内に嵌着されている。目盛り盤５０Ａは、導光部材４０Ａの板状導光部４０ｂの表面に重畳的に装着されている。この目盛り盤５０Ａは、図１にて示すごとく、その外周部にて、略円弧状回転数表示部５３を有しており、この回転数表示部５３の表面は、当該回転数表示部の各目盛り、各数字、各文字等の輪郭の内側部（以下、透光部という）を除き、目盛り盤５０Ａの表面のうち回転数表示部に対応する部分以外の部分と共に、不透光の黒色印刷材料により黒色に印刷されている。
【００３０】
タコメータＴのホルダーは、スピードメータＳのホルダー６０と同様の構成を有し、導光部材４０Ａのリング状導光部４０ａの基端部及び板状導光部を収容している。タコメータＴの回動内機は、スピードメータＳの回動内機７０と同様の構成を有しており、内機本体にて、目盛り盤５０Ａに対応して、ケーシング１０の底壁１２に装着されている。また、タコメータＴの回動内機の指針軸の先端部には、指針１００Ａがその回動基部にて支持されている。なお、配線板８０は、スピードメータＳ及びタコメータＴに共通の配線板として用いられている。
【００３１】
このように構成した本第１実施形態において、スピードメータＳを例にとりその作動を説明する。各光源９０が発光すると、これら各光源９０の光は、ホルダー６０の貫通穴部を通り導光部材４０の板状導光部４０ｂの導光穴部４１の反射面に向けて当該導光部４０ｂの裏面から指針軸７２の軸方向に沿い入射する。
【００３２】
このように入射した光は、板状導光部４０ｂ内にて、導光穴部４１の反射面により放射状に反射され、リング状導光部４０ａの基端部に向け導光されて目盛り盤５０内にその裏面から面状の光として入射するとともに、リング状導光部４０ａ内にその基端部から導光されて当該導光部４０ａの断面半球状の先端部４２に向け導光される。
【００３３】
上述のように目盛り盤５０内に入射した面状の光は当該目盛り盤５０の上記透光部、即ち、車速表示部５１の目盛り、数字等の内側部を通りフロントパネル３０に向けて出射する。また、上述のようにリング状導光部４０ａ内に導光された光は、当該導光部４０ａの先端部４２からリング状にフロントパネル３０に向け出射する。このことは、導光部材４０が、導光部４０ａの先端部からの出射光により目盛り盤５０の外周部をリング状に照明することを意味する。このため、目盛り盤５０の表面における指針１００の車速指示が、リング状導光部４０ａが目盛り盤５０をその外周部側からリング状に装飾照明した状態でなされる。
【００３４】
また、導光部材４０は、上述のごとく、リング状導光部４０ａに板状導光部４０ｂを一体に形成して、当該板状導光部４０ｂにより各光源９０の光をリング状導光部４０ａ内に放射状に導光するようにしてある。従って、リング状導光部４０ａへの入射に要する光を発生する各光源９０は、目盛り盤５０の外周部に位置するリング状導光部４０ａの基端部ではなく、板状導光部４０ｂのうち指針軸７２の軸周り近傍の導光穴部４１に対応する位置にて配線板８０の表面上に配設されている。
【００３５】
ここで、板状導光部４０ｂの導光穴部４１の径は、目盛り盤５０の外周部の径、ひいては、リング状導光部４０ａの径に比べてはるかに小さいので、導光穴部４１に対応して配設すべき光源９０の数は、リング状導光部４０ａの基端部に対応して設ける場合に比べ、非常に少なくて済む。その結果、部品点数の減少によるコストの低減を確保できる。また、このように光源９０の数が少なくても、導光穴部４１の径は上述のごとくリング状導光部４０ａの径に比べて非常に小さいため、指針軸７２の軸周りに沿い配置される各両隣接光源９０の間隔は非常に狭くでき、かつ、これら各光源９０の光が、板状導光部４０ｂにより放射状に導光されてリング状導光部４０ａを出射し得る。
【００３６】
その結果、リング状導光部４０ａからのリング状出射光は、当該導光部４０ａの先端部４２の周方向に亘り均一な光量となり、リング状導光部４０ａによる目盛り盤５０に外周部における照明はその周方向においてばらつきを生ずることなく均一に確保され得る。なお、タコメータＴにおいても、導光部材４０Ａが、スピードメータＳの導光部材４０と同様に構成され、この導光部材４０Ａの板状導光部の導光穴部（導光部材４０の板状導光部４０ｂの導光穴部４１に相当）に対応して、スピードメータＳの各光源９０に対応する各光源がと同様の作用効果を達成できる。
【００３７】
なお、上記第１実施形態では、導光部材４０が、板状導光部４０ｂにより、各光源９０の光を、リング状導光部４０ａだけでなく、目盛り盤５０にも入射する例について説明したが、これに代えて、目盛り盤５０への入射を廃止するとともに、当該目盛り盤５０の車速表示部５１の透光部を不透光にしてもよい。
【００３８】
また、上記第１実施形態においては、各光源９０の光を板状導光部４０ｂによりリング状導光部４０ａ及び目盛り盤５０の双方に入射するようにした例について説明したが、これに限らず、指針１００を発光指針とし、各光源９０の光を、リング状導光部４０ａ及び目盛り盤５０の双方に上述のように入射するだけでなく、上記発光指針内の回動基部内にも板状導光部４０ｂの導光穴部４１及び目盛り盤５０の貫通穴部５２を通して入射するようにしてもよい。これによれば、導光部材４０及び目盛り盤５０用の各光源９０を発光指針用光源としても兼用しつつ上記第１実施形態と同様の作用効果を達成できる。
【００３９】
図３は上記第１実施形態の変形例を示している。この変形例においては、上記第１実施形態にて述べたスピードメータＳにおいて、目盛り盤５０が、図３にて示すごとく、図１にて図示下部を円弧板状に切除した構成となっている。また、本変形例では、導光部材４０が、図３にて示すごとく、本変形例での目盛り盤５０の形状にあわせるように、図１にて図示下部を切除した構成となっている。また、タコメータＴにおいても、目盛り盤５０Ａ及び導光部材４０Ａが、本変形例における導光部材４０及び目盛り盤５０の変形形状と同様に変形されている。その他の構成は上記第１実施形態と同様である。このように構成した本変形例によっても、上記第１実施形態と同様の作用効果を達成できる。
【００４０】
（第２実施形態）
図４は本発明の第２実施形態を示している。この第２実施形態では、上記第１実施形態にて述べたスピードメータＳにおいて、導光部材４０、ホルダー６０、各光源９０及び指針１００に代えて、導光部材４０Ｂ、ホルダー６０Ａ、各光源９０Ａ、９０Ｂ、導光板１１０、隔壁１２０及び発光指針１００Ｂが採用されている。
【００４１】
導光部材４０Ｂは、上記第１実施形態にて述べた導光部材４０のリング状導光部４０ａ及び板状導光部４０ｂにそれぞれ対応するリング状導光部４０ｃ及び板状導光部４０ｄを備えており、リング状導光部４０ｃは、その軸方向中間部位にて、リング状導光部４０ａに代えて、見返し板２０の底壁２１の開口部２１ａ内に同軸的に嵌着されている。また、板状導光部４０ｄは、その外周部にて、リング状導光部４０ｃの基端部と一体に形成されている。これにより、この板状導光部４０ｄは、リング状導光部４０ｃと共に、導光部材４０Ｂを断面略コ字状に構成している。
【００４２】
また、板状導光部４０ｄは、指針軸７２を挿通させるように当該指針軸７２と同軸的に位置する導光穴部４３を備えており、この導光穴部４３は、図４にて示すごとく、断面上に凸な湾曲形状にて、末すぼまり状に、導光部４０ｄの平板部４４から各光源９０Ａに向けて延出している。ここで、各光源９０Ａは、導光穴部４３の開口端面４３ａに対向するように、指針軸７２の軸周りに沿い、配線板８０の表面に配設されている。これにより、各光源９０Ａから生ずる光は、板状導光部４０ｄの導光穴部４３内にその開口端面４３ａから入射する。これに伴い、このように入射した光は、板状導光部４０ｄの平板部４４内に導光穴部４３から導光された後リング状導光部４０ｃ内にその基端部から導光されて当該導光部４０ｃの先端面４５からリング状に出射する。
【００４３】
ホルダー６０Ａは、断面略コ字状に形成されて、導光部材４０Ｂのうちリング状導光部４０ｃの基端部及び板状導光部４０ｄを収容してなるもので、このホルダー６０の内面６２は反射面となっている。このため、後述のようにリング状導光部４０ｃの基端部及び板状導光部４０ｄ内に導光される光はホルダー６０Ａの内面６２により当該リング状導光部４０ｃの基端部及び板状導光部４０ｄ内に反射される。
【００４４】
導光板１１０は、隔壁１２０を介し導光部材４０Ｂのリング状導光部４０ｃの基端部表面及び板状導光部４０ｄの表面上に配設されており、この導光板１１０は、その平板部１１１にて、隔壁１２０と目盛り盤５０との間に挟持されている。また、導光板１１０は、指針軸７２を挿通させる導光穴部１１２を備えており、この導光穴部１１２は、図４にて示すごとく、断面上に凸な湾曲形状にて、末すぼまり状に、平板部１１１から各光源９０Ｂに向けて延出している。ここで、各光源９０Ｂは、導光穴部１１２の開口端面１１２ａに対向するとともに発光指針１００Ｂの回動基部に導光穴部１１２及び目盛り盤５０の貫通穴部５２を通して対向するように、指針軸７２の軸周りに沿い、配線板８０の表面に配設されている。
【００４５】
これにより、各光源９０Ｂから生ずる光は、導光板１１０の導光穴部１１２内にその開口端面１１２ａから入射するとともに発光指針１００Ｂの回動基部内に入射する。これに伴い、このように導光穴部１１２内に入射した光は、導光板１１０の平板部１１１内に導光穴部１１２から導光された後目盛り盤５０にその裏面から面状の光として入射する。また、発光指針１００Ｂの回動基部内に入射した光は当該発光指針１００Ｂの指針部内に導光されて当該指針部を発光させる。なお、光源９０Ｂは光源９０Ａと共に発光ダイオードにより構成されている。
【００４６】
隔壁１２０は、略平板部１２１と、筒部１２２とを一体に備えており、略平板部１２１は、導光板１１０の平板部１１１及び板状導光部４０ｄの間を隔離している。また、筒部１２２は、図４にて示すごとく、上に凸な断面湾曲形状にて、末すぼまり状に略平板部１２１から各光源９０Ａと各光源９０Ｂとの間に延出して配線板８０の表面に当接している。これにより、隔壁１２０は、筒部１２２により、各光源９０Ａと各光源９０Ｂとを相互に隔離して遮光する遮光壁としての役割を果たす。また、隔壁１２０の表裏面のうち導光板１１０と導光部材４０Ｂとの間に介在する部分は反射面部として形成されている。なお、本第２実施形態では、上記第１実施形態にて述べたタコメータＴにおいても、本第２実施形態におけるスピードメータＳと同様の構成変更がなされている。その他の構成は上記第１実施形態と同様である。
【００４７】
このように構成した本第２実施形態において、スピードメータＳを例にとってその作動を説明する。各光源９０Ａ、９０Ｂが発光すると、各光源９０Ａの光は導光部材４０Ｂの導光穴部４３内にその開口端面４３ａから入射する。このように入射した光は、板状導光部４０ｄの平板部４４内に導光穴部４３から放射状に導光された後リング状導光部４０ｃ内にその基端部から導光されて当該導光部４０ｃの先端面４５からリング状に出射する。このことは、導光部材４０Ｂが、導光部４０ｃの先端面からの出射光により目盛り盤５０をその外周部からリング状に照明することを意味する。
【００４８】
また、各光源９０Ｂの光は、導光板１１０の導光穴部１１２内にその開口端面１１２ａから入射するとともに当該導光穴部１１２及び目盛り盤５０の貫通穴部５２を通り発光指針１００Ｂの回動基部に入射する。すると、導光板１１０の導光穴部１１２内に入射した光は平板部１１１内に導光されて当該平板部１１１から面状の光として目盛り盤５０の裏面に入射するとともに、発光指針１００Ｂの回動基部内に入射した光は、当該発光指針１００Ｂの指針部内に導光される。
【００４９】
これに伴い、目盛り盤５０に入射した光は当該目盛り盤５０の車速表示部５１の透光部を通りフロントパネル３０に向け出射し、発光指針１００Ｂの指針部内に導光された光は当該指針部からフロントパネル３０に向けて出射する。これにより、目盛り盤５０は上記透光部にて光るとともに発光指針１００Ｂはその指針部にて発光する。このため、目盛り盤５０の表面における発光指針１００Ｂの車速指示が、リング状導光部４０ｃが目盛り盤５０をその外周部側からリング状に装飾照明されて状態でなされる。
【００５０】
また、導光部材４０Ｂは、上述のごとく、リング状導光部４０ｃに板状導光部４０ｄを一体に形成して、当該板状導光部４０ｄにより各光源９０Ａの光をリング状導光部４０ｃ内に放射状に導光するようにしてある。従って、リング状導光部４０ｃへの入射に要する光を発生する各光源９０Ａは、目盛り盤５０の外周部に位置するリング状導光部４０ｃの基端部ではなく、板状導光部４０ｄのうち指針軸７２の軸周り近傍の導光穴部４３の開口端面４３ａに対向する位置にて配線板８０の表面上に配設されている。
【００５１】
ここで、板状導光部４０ｄの導光穴部４３の径は、目盛り盤５０の外周部の径、ひいては、リング状導光部４０ｃの径に比べてはるかに小さいので、導光穴部４３に対応して配設すべき光源９０Ａの数は、リング状導光部４０ｃの基端部に対応して設ける場合に比べ、非常に少なくて済む。その結果、上記第１実施形態と同様に、部品点数の減少によるコストの低減を確保できる。
【００５２】
また、このように光源９０Ａの数が少なくても、導光穴部４３の径は上述のごとくリング状導光部４０ｃの径に比べて非常に小さいため、指針軸７２の軸周りに沿い配置される各両隣接光源９０Ａの間隔は非常に狭くでき、かつ、これら各光源９０Ａの光が、板状導光部４０ｄにより放射状に導光されてリング状導光部４０ｃを出射し得る。その結果、リング状導光部４０ｃからのリング状出射光は、当該導光部４０ｃの先端面の周方向に亘り均一な光量となり、リング状導光部４０ｃによる目盛り盤５０に外周部における照明はその周方向においてばらつきを生ずることなく均一に確保され得る。
【００５３】
また、本第２実施形態のように、導光部材４０Ｂの他に導光板１１０を別途採用した構成となっているが、このような構成でも、上記第１実施形態と同様の作用効果を達成できる。なお、以上のような作用効果は、タコメータＴにおいても、同様に達成できる。
【００５４】
また、本発明の実施にあたり、導光部材４０のリング状導光部や導光部材４０Ｂのリング状導光部の目盛り盤からの延出高さを高くすれば、リング状導光部と目盛り盤との間の高低差でもって、目盛り盤の照明に立体感をももたせることができる。
【００５５】
なお、本発明の実施にあたり、乗用車に限ることなく、自動車その他の車両や船舶、航空機等で利用される各種の計器に本発明を適用して実施してもよい。
【図面の簡単な説明】
【図１】本発明の第１実施形態を示す部分破断正面図である。
【図２】図１の２−２線に沿う部分断面図である。
【図３】上記第１実施形態の変形例を示す要部正面図である。
【図４】本発明の第２実施形態を示す部分断面図である。
【符号の説明】
４０、４０Ａ、４０Ｂ…導光部材、４０ａ、４０ｃ…リング状導光部、
４０ｂ、４０ｄ…板状導光部、４１、４３、１１２…導光穴部、
５０、５０Ａ…目盛り盤、７０…回動内機、７１…内機本体、
７２…指針軸、５２…貫通穴部、９０、９０Ａ、９０Ｂ…光源、
１００、１００Ａ…指針、１００Ｂ…発光指針、１１０…導光板、
１２０…遮光壁、１２２…筒部。
【図１】
0004273647.tif 000002
【図２】
0004273647.tif 000003
【図３】
0004273647.tif 000004
【図４】
0004273647.tif 000005